(57)【要約】ユーザの好みに依存して、画面（１０）上に表示装置によって生成される主画像（１１）の外観を規定する表示設定を調整する方法において、上記設定のための値又は値の組み合わせに関するオプションの選択が、上記装置のユーザによる選択のために利用可能にされる。この選択されたオプションは、ユーザによる確認時に、主画像（１１）の外観を規定する新しい表示設定として採用される。特に、上記設定のさまざまな異なる値の効果を表示するように適応化されると共に、選択されたオプションによって規定されるサンプル画像（１３及び１５乃至１８）が、確認の前に、画面（１０）上に表示される。サンプル画像（１３及び１５乃至１８）は、上記装置に固有であると共に、表示装置のメモリ（９）に記憶されたビデオデータから生成される。
2005506811.tif 000002
【特許請求の範囲】
【請求項１】
ユーザの好みに依存して、画面上に表示装置によって生成される主画像の外観を規定する表示設定を調整する方法において、
前記設定のための値又は値の組み合わせに関するオプションの選択が、前記装置のユーザによる選択のために利用可能にされ、
前記選択されたオプションが、前記ユーザによる確認時に、前記主画像の前記外観を規定する新しい表示設定として採用され、
特に、前記設定のさまざまな異なる値の効果を表示するように適応化されると共に、前記選択されたオプションによって規定されるサンプル画像が、確認の前に、前記画面上に表示される方法であって、
前記サンプル画像が、前記装置に固有であると共に、前記表示装置のメモリに記憶されたビデオデータから生成されることを特徴とする方法。
【請求項２】
前記サンプル画像が、前記主画像上にスーパーインポーズされるウィンドウに表示され、前記主画像よりも小さい寸法である、請求項１に記載の方法。
【請求項３】
単一のサンプル画像が表示され、前記サンプル画像の前記外観が、オプションの選択時に変更される、請求項１又は２に記載の方法。
【請求項４】
有限数の利用可能なオプションが、前記ユーザによる選択のために提供され、各々が前記利用可能なオプションの１つにより規定されるような複数の他のサンプル画像が、前記ユーザによる選択のために同時に表示される、請求項１又は２に記載の方法。
【請求項５】
前記サンプル画像が、動画の前記設定の前記効果を示すために、イメージのシーケンスを有する、請求項１乃至４の何れか１項に記載の方法。
【請求項６】
サンプル画像に関する複数のイメージが、前記ビデオデータに含まれる１つのソースイメージから生成される、請求項１乃至５の何れか１項に記載の方法。
【請求項７】
前記記憶されたビデオデータは、圧縮されたフォーマットであり、前記ビデオデータが、前記サンプル画像を生成するプロセスにおいて伸長される、請求項１乃至６の何れか１項に記載の方法。
【請求項８】
ビデオ信号受信器と、
前記受信器に接続され、ユーザの好みに依存する表示設定に従って前記信号を処理するためのビデオ信号プロセッサと、
前記設定のための値又は値の組み合わせに関するオプションを選択すると共に、前記設定を変更するために前記選択されたオプションを確認するためのユーザ制御装置と、
前記処理されたビデオ信号から画面上に主画像を生成することが可能なプロジェクタと、を有する表示システムにおいて、
表示装置が、確認の前に、特に、前記設定のさまざまな異なる値の効果を表示するように適応化されると共に、前記選択されたオプションにより規定されるサンプル画像を表示するようにプログラムされる表示システムであって、
当該表示システムは、更に、前記サンプル画像を生成すると共に、該サンプル画像を前記主画像上にスーパーインポーズするためのピクチャインピクチャプロセッサと、ビデオデータを記憶するメモリとを有し、前記表示装置が、前記ビデオデータから前記サンプル画像を生成するようにプログラムされることを特徴とする、表示システム。
【請求項９】
前記メモリが、ランダムアクセスメモリと、ソースイメージを記憶する不揮発性メモリとを有し、前記表示装置が、前記サンプル画像に表示するための複数のサンプルイメージを、前記ソースイメージから生成すると共に、前記ランダムアクセスメモリに記憶するようにプログラムされる、請求項８に記載の表示システム。
【請求項１０】
プログラム可能なプロセッサ及びメモリを有する表示装置にロード可能なコンピュータプログラムであって、プログラムされた前記表示装置が、請求項１乃至７の何れか１項に記載の方法を実行することができ又は実行するように適応化される、コンピュータプログラム。
【発明の詳細な説明】
【技術分野】
【０００１】
本発明は、ユーザの好みに依存して、画面上に表示装置によって生成される主画像の外観（見た目、appearance）を規定する表示設定を調整する方法において、上記設定のための値又は値の組み合わせに関するオプションの選択が、上記装置のユーザによる選択のために利用可能にされ、選択されたオプションが、ユーザによる確認時に、主画像の外観を規定する新しい表示設定として採用され、特に、上記設定のさまざまな異なる値の効果を表示するように適応化されると共に、選択されたオプションによって規定されるサンプル画像が、確認の前に、画面上に表示される方法に関する。本発明は、更に、ビデオ信号受信器と、該受信器に接続され、ユーザの好みに依存する表示設定に従って信号を処理するためのビデオ信号プロセッサと、上記設定のための値又は値の組み合わせに関するオプションを選択すると共に、上記設定を変更するために選択されたオプションを確認するためのユーザ制御装置と、処理されたビデオ信号から画面上に主画像を生成することが可能なプロジェクタと、を有する表示システムにおいて、表示装置が、確認の前に、特に、設定のさまざまな異なる値の効果を表示するように適応化されると共に、選択されたオプションにより規定されるサンプル画像を表示するようにプログラムされる、表示システムに関する。
【背景技術】
【０００２】
このような方法及び装置は、例えば、欧州特許出願公開公報第０８４４７８８Ａ３号から知られている。この公報は、ウェブブラウザを使用してテレビジョン表示制御部を調整する方法及び機器を開示する。画像調整画面が、クライアントシステムに含まれる表示装置上に表示される。このクライアントシステムは、少なくとも１つのサーバシステムと通信する。表示装置の１つ又は複数の画像調整制御部の調整についての指示が、更に表示される。基準テストパターンが、画像調整画面上に表示される。この基準テストパターンは、表示特性に対応する属性を含む。これは、ブラウザソフトウェアによって利用可能にされるホームページ上に供給される。ホームページは、ワールドワイドウェブ（ＷＷＷ）から得られ、又はウェブブラウザ若しくはサービスに組み込まれる。
【発明の開示】
【発明が解決しようとする課題】
【０００３】
表示特性に対応する属性を使用すると、表示設定のより良好な調整が可能にされるけれども、この属性は一般的な属性なので、結果は依然として最適ではない。これは、セットトップボックスに接続されることができるような各々の表示装置に適していなければならない。加えて、通常の信号の代わりに表示装置に供給されるウェブページの使用は、調整された設定が、ウェブページの表示に合わせて調整されることを意味する。更に、表示装置のユーザが、ウェブＴＶホームページに入り、与えられるハイパーテキストアンカ上でクリックすることによって、セットアップ画面に移らなければならないことから、調整が煩わしい。
【０００４】
本発明の目的は、テレビジョン信号を見るための設定を調整するように適応化されると共に使い勝手の良い、上記に記載された種類の表示システム及び方法を供給することにある。
【課題を解決するための手段】
【０００５】
従って、本発明による方法は、サンプル画像が、表示装置に固有であると共に、表示装置のメモリに記憶されたビデオデータから生成されることを特徴とする。
【０００６】
それゆえ、サンプル画像は、関連の表示装置に適応され得る。サンプル画像が外部ソースから供給される場合のように、広範囲の表示装置に対して適切でなければならないことの代わりに、本サンプル画像は、これが表示されるべき画面に適している寸法及び特徴を有することができる。
【０００７】
本発明の好ましい実施形態では、サンプル画像は、主画像上にスーパーインポーズされるウィンドウに表示され、主画像よりも小さい寸法である。それゆえ、見る人は、実際の番組を可能な限りほとんど見落とさずに、バックグラウンドにおける主画像を同時に見ることができる。
【０００８】
本発明による表示システムは、更に、サンプル画像を生成すると共に、該サンプル画像を主画像上にスーパーインポーズするためのピクチャインピクチャプロセッサと、ビデオデータを記憶するメモリとを有し、表示装置が、ビデオデータからサンプル画像を生成するようにプログラムされることを特徴とする。
【０００９】
それゆえ、サンプル画像は、特に、例えば、画面サイズに適している細かい部分の精細度及び寸法をもつことによって、関連の表示システムに適応され得る。ピクチャインピクチャ生成器を用いることによって、サンプル画像は、主画像上にスーパーインポーズされることができる。本システムのユーザは、この場合、表示設定に対する調整の確認時に、主画像に即座に戻ることが可能である。
【００１０】
本発明は、以下に添付の図面を参照して更に詳細に説明されるであろう。
【発明を実施するための最良の形態】
【００１１】
図１は、本発明による表示システムの実施形態の部分的なブロック図を非常に概略的に示している。本発明にとって重要でない構成要素は、省略されている。ブロック図の各ブロックが、必ずしも表示システムの物理的な構成要素に対応するというわけではない。
【００１２】
本発明が実施され得る実際の表示システムの実施例は、テレビ受像機、コンピュータモニタ、イメージプロジェクタなどである。これらのシステムのそれぞれにおいて、ビデオ信号は入力として認識され、画面上の画像に変換される。画面は、陰極線管、液晶ディスプレイ、又は投影画像が反射されるホワイトボードであってもよい。
【００１３】
ビデオソース信号１は、ビデオ信号受信器２に供給される。例えば、この信号は、ケーブル接続、アンテナ、衛星リンク、又はビデオレコーダを介して供給されるテレビジョン信号であり得る。こうした場合、受信器２は、表示用にあるチャネルを選択するように同調回路を有する。ビデオ信号は、ビデオプロセッサ３に渡され、このプロセッサにおいて必要に応じて復号化され、イメージ強調機能を含み得る幾つかの表示パラメータに従って処理される。例えば、コントラストが高められ、ノイズが取り除かれ、及び輝度が高められることが可能である。処理された信号は、その後、この信号をプロジェクタ５に適している信号に変換する表示ドライバ４に渡される。例えば、プロジェクタ５が陰極線管の一部であるならば、表示ドライバ４からプロジェクタ５への信号は、３つの色の強度の信号を有する。画像は、更に、表示ドライバ４の信号の処理によって調整されることができる。例えば、輝度は、信号の増幅によって高められることができる。
【００１４】
画面上にプロジェクタ５によって生成される主画像の外観を規定するパラメータは、総称して表示設定と称される。任意のある時間に、各々のパラメータが、オプションの値のレンジの１つに設定される。ユーザは、どのように画像が見えて欲しいのかということに関して異なる好みを有するので、設定を調整するための手段が提供される。
【００１５】
図１のブロック図では、設定を調整するための手段が、システムコントローラ６及びユーザ制御ユニット７によって表されている。ＴＶ又はプロジェクタシステムでは、例えば、これらは、通常、遠隔制御ユニットと、受信器と、ユーザコマンドを当該機器の種々の他の構成要素に対する指示に変えるためのマイクロコントローラユニットとを有する。コンピュータモニタでは、例えば、ユーザ制御ユニット７はボタンとしてモニタに組み込まれ、又は、コマンドはコンピュータキーボードを介して渡されることができる。当業者にとっては明らかであろうが、他の変形例も可能である。指示がシステムコントローラ６から受信器２、ビデオプロセッサ３及び表示ドライバ４に渡されるリンクは、点線によって表されている。特定の装置では、テレビジョンのＩＩＣバスのようなデータバスが、当該システムの構成要素の間で指示及び応答を渡すために用いられることができる。
【００１６】
図１は、更に、メモリ９へのアクセスをもち、及び／又は、実用的にそれ自体がランダムアクセスタイプのメモリを有する、ピクチャインピクチャプロセッサ８を示している。ピクチャインピクチャプロセッサ８は、画面上の主画像にスーパーインポーズされ得るウインドウを生成することが可能である。このことは、ビデオプロセッサ３の出力信号が表示ドライバ４に渡される前に、該出力信号にウインドウ用の信号を加えることによって行われる。当業者ならば、このことは、ビデオプロセッサ３及びピクチャインピクチャプロセッサ８の双方の出力信号がデジタル信号から構成される、デジタル表示システムにおいて容易に実現されるということを理解するであろう。合成信号は、その後、必要に応じて、表示ドライバ４においてアナログ形式に変換される。システムコントローラ６とピクチャインピクチャプロセッサ８との間の通信の手段も提供される。
【００１７】
ユーザが画面上の主画像の外観を規定する表示設定を調整しようと望む場合、適切なコマンドが、ユーザ制御ユニット７を通してシステムコントローラ６に発行される。ユーザが調整するように望む設定のためのある値又は値の組み合わせに関するオプションの選択は、後述されるであろうやり方で利用可能にされる。ユーザは、オプションの１つを選択するために制御ユニット７を使用することができる。選択されたオプションの明示的又は潜在的な確認時に、値はそのオプションによって表されるものに変更される。
【００１８】
本発明によれば、ピクチャインピクチャプロセッサ８は、メモリ９に記憶されたビデオデータからサンプル画像を生成する。従って、このサンプル画像は、上記システムに固有である。サンプル画像は、調整用に選択された設定にも固有である。例えば、変更されるべき設定が、ノイズ低減のレベルに関係するならば、サンプル画像は、最良の可能な態様でそのパラメータにおける変更の効果を示すように設計される又は選択される、特定の画像である。このように、ユーザは、ノイズ低減の増加されたレベルが、画像にアーチファクトをもたらし得るという事実に気付かされるので、ノイズ低減の極端なレベルは常に望ましいというわけではない。ユーザは、本発明によるシステムを用いて自分の好みに従って、低減されたノイズとアーチファクトの増大された数との間のバランスをとることができる。
【００１９】
サンプル画像は、可能性として、メニューボタン及び説明的なテキストのような他のグラフィカル素子を伴ってウインドウに挿入される。このウインドウは、主画像より小さく、画面上に表示するためにプロジェクタ５を用いて主画像上にスーパーインポーズされる。
【００２０】
図２は、本発明のある実施形態において見られるような画面１０の表示を示している。図２で空白のままにされる主画像１１は、バックグラウンドにおいて画面１０に投影され、画面１０全体を充填する。主画像１１には、ピクチャインピクチャプロセッサ８によって生成される、より小さい寸法のウインドウ１２がスーパーインポーズされる。ウインドウ１２は、単一のサンプル画像１３及びメニューボタン１４を有している。
【００２１】
サンプル画像１３の外観は、ユーザにより現在選択されている表示設定向けのオプションによって規定される。ユーザは、関連するコマンドを渡すために、ユーザ制御ユニット７を用いてボタン１４の１つを選択することによって、別のオプションを選択することができる。このようにして、ユーザは表示設定向けの利用可能なオプションを繰り返すことができる。異なるオプションが選択されるたびに、画面１０上の画像の外観に対して選択されたオプションが有する効果を表示するために、サンプル画像１３の外観は変化する。
【００２２】
図３は、本発明の別の実施形態で見られるような画面１０の表示を示している。主画像１１は、ここでもバックグラウンドに存在する。ウインドウ１２は、やはり主画像１１にスーパーインポーズされるけれども、ここでは、複数のサンプル画像１５乃至１８が、ウインドウ内に表示される。これらのサンプル画像１５乃至１８のそれぞれの外観は、ユーザがこれらを比較することができるように、表示設定の異なるオプションによって規定される。このことは、種々のオプション間の差が小さい場合、又は、オプションが表示パラメータの組み合わせについて幾つかの値を規定する場合に概してそうであるように、単に増加している若しくは減少しているスケールではない場合に利点となり得る。
【００２３】
ノイズ低減の所望のレベルが選択される場合、ノイズの抑制とアーチファクトの導入との間のトレードオフが、一目で見られ得る。ここでも、ユーザは、単一のステップ又は複数のステップで、制御ユニット７を用いてオプションの１つを選択し、この選択を確認する。
【００２４】
上述されたように、サンプル画像１３及び１５乃至１８は、メモリ９に記憶されたビデオデータからピクチャインピクチャプロセッサ８によって生成される。ある好ましい実施形態では、非常に動的な画像の外観に影響を及ぼすような表示設定の調整が、イメージのシーケンスを有するサンプル画像１３及び１５乃至１８を供給することによって容易にされる。メモリ９においてあまりに多くの記憶スペースを占めることを避けるために、これらの複数の画像は、メモリ９に記憶されたビデオデータにおいて符号化される、１つのソースイメージから生成され得る。例えば、動画のシーケンスは、１つのソースイメージから生成されることが可能であり、そのようなソースイメージは、該シーケンスの各々のイメージを生成するように何らかの態様で再構成される。
【００２５】
同じように、各々のサンプル画像１５乃至１８は、１つのソースイメージから生成されることができ、表示設定の異なるオプションを反映させるように処理され得る。１つのソースイメージは、表示設定の２以上のタイプの効果、例えば、コントラスト及び輝度の双方を表示するのに適している場合、これらのそれぞれの調整についてウインドウ１２を供給するために用いられてもよい。
【００２６】
このことは、ソースイメージが、固定記憶装置に記憶されることができ、ソースイメージから生成されるイメージが、ランダムアクセスメモリに一時的に記憶されることができるので、不揮発性メモリを節約することにつながる。例えば、ピクチャインピクチャプロセッサ８は、サンプル画像１３及び１５乃至１８の迅速な生成を可能にするために、一時的にイメージを記憶するランダムアクセスメモリを有することができる。メモリ９は、その場合、不揮発性メモリから構成され得る。
【００２７】
固定記憶装置を節約する別の好ましい実施形態では、記憶されたビデオデータは、圧縮されたフォーマットであり、ビデオデータが、サンプル画像１３及び１５乃至１８を生成するプロセスにおいて伸長される。ここでも、圧縮されたビデオデータが、メモリ９に記憶されることができるのに対して、伸長された画像は、ＲＡＭに一時的に記憶されることができる。
【００２８】
本発明が上記に説明された実施形態に限定されず、添付の請求項の範囲内において複数の態様で変形され得ることは、当業者にとって明らかであろう 。例えば、実際のシステムにおいて、構成要素及び機能は、１つのチップ又は幾つかのチップに集められ、テレビジョン受信器用のＩＩＣバスのようなバスによって接続されることが可能である。同様に、構成要素はメモリ又はプロセッサを共有することができる。上記に説明されたようなサンプル画像を有する限り、メニュー及びウインドウレイアウトの種々の変形例が可能である。
【図面の簡単な説明】
【００２９】
【図１】本発明による表示システムの構成要素の非常に概略的な図を示す。
【図２】本発明のある実施形態による画面の表示を示す。
【図３】本発明の別の実施形態による画面の表示を示す。
【国際公開パンフレット】
2005506811.tif 000003
2005506811.tif 000004
2005506811.tif 000005
2005506811.tif 000006
2005506811.tif 000007
2005506811.tif 000008
2005506811.tif 000009
2005506811.tif 000010
2005506811.tif 000011
2005506811.tif 000012
2005506811.tif 000013
【国際調査報告】
2005506811.tif 000014
2005506811.tif 000015
2005506811.tif 000016